(57)【要約】      （修正有）【課題】次亜塩素酸のような消毒液を用い、毛細管現象を利用し、細菌やウイルスに対する消毒効果で能動的、かつ、持続的に吸気や呼気を無毒化することで、感染防止効果が得られるようにした毛細管現象を利用した消毒液持続浸潤マスクを提供する。【解決手段】毛細管現象を利用した消毒液持続浸潤マスク１は、布製のマスク本体２と、一対の耳掛け片３と、液タンク４と、液タンク４とマスク本体２に設けたフィルター５間に連結される液送給チューブ６とを有し、マスク本体２は、吸気に対してフィルター５を介して液送給チューブ６を経て送給される消毒液を持続的に作用させて消毒して清浄化し、清浄化吸気を使用者Ｍの口腔、鼻孔内に吸引させるようにするとともに、使用者Ｍの呼気は排出口に備えた消毒液を浸潤させたフィルター５ａで無害化し、逆流防止弁３１を経てマスク本体２外に排出させる。【選択図】図１
0003228418.tif 000002
【実用新案登録請求の範囲】
【請求項１】
口腔、鼻領域を覆う状態で使用者の顔面に被着される布製のマスク本体と、
前記マスク本体の両端辺に連結され使用者の耳に掛け止められる一対の耳掛け片と、
前記使用者の後頭部外側に配置される消毒液を収容した液タンクと、
前記液タンク、前記マスク本体に設けたフィルター間に連結されて前記液タンク内の消毒液を、毛細管現象を利用して前記フィルターに送給し、前記マスク本体のフィルターを浸潤させる液送給チューブと、
を有する毛細管現象を利用した消毒液持続浸潤マスクであって、
前記マスク本体は、使用者の呼吸に伴い、吸気に対して前記フィルターを介して液送給チューブ経て送給される消毒液を持続的に作用させて消毒して清浄化し、清浄化吸気を使用者の口腔、鼻孔内に吸引させるようにするとともに、
使用者の呼気は前記後室内の下部位置に外気に臨むように設けられ、排出口に消毒液を浸潤させたフィルターを付加してこのフィルターで無害化する逆流防止弁を経てマスク本体外に排出させるように構成したこと、
を特徴とする毛細管現象を利用した消毒液持続浸潤マスク。
【請求項２】
口腔、鼻領域を覆う状態で使用者の顔面に被着される布製のマスク本体と、
前記マスク本体の両端辺に連結され使用者の耳に掛け止められる一対の耳掛け片と、
前記使用者の後頭部外側に配置される次亜塩素酸液からなる消毒液を収容した液タンクと、
前記液タンク、前記マスク本体に設けたフィルター間に連結され前記液タンク内の消毒液を、毛細管現象を利用して前記フィルターに送給し、前記マスク本体のフィルターを浸潤させる液送給チューブと、
を有する毛細管現象を利用した消毒液持続浸潤マスクであって、
前記マスク本体は、仕切り片を用いて使用者の正面外気側の前室と、使用者の口腔、鼻側の後室との二室に区画形成されるとともに、前記仕切り片には前室から前記後室に至る吸気用の吸入筒、及び前記仕切り片の前室側壁面に設けた前記液送給チューブから送給される消毒液が供給される複数のフィルターを有し、
使用者の呼吸に伴い、吸気に対しては前記前室内で前記液送給チューブ経て送給される消毒液を複数のフィルターを介して持続的に作用させて消毒して清浄化し、清浄化吸気を前記吸入筒を経て使用者の口腔、鼻孔内に吸引させるようにするとともに、使用者の呼気は前記後室内の下部位置に外気に臨むように設けられ、排出口に消毒液を浸潤させたフィルターを付加してこのフィルターで無害化する逆流防止弁を経てマスク本体外に排出させるように構成したこと、
を特徴とする毛細管現象を利用した消毒液持続浸潤マスク。
【請求項３】
前記マスク本体内には、外部から吸引する吸気を渦巻き状に誘導して口腔、鼻孔に導くフィンが設けられていることを特徴とする請求項１又は２記載の毛細管現象を利用した消毒液持続浸潤マスク。
【請求項４】
前記液送給チューブには、消毒液の流量を調節するクランプ式流量調節機構部が設けられていることを特徴とする請求項１乃至３のいずれか１項に記載の毛細管現象を利用した消毒液持続浸潤マスク。
【請求項５】
前記液送給チューブには、消毒液の流量を調節する止水弁式流量調節機構部が設けられていることを特徴とする請求項１乃至３のいずれか１項に記載の毛細管現象を利用した消毒液持続浸潤マスク。
【考案の詳細な説明】
【技術分野】
【０００１】
本考案は、毛細管現象を利用した消毒液持続浸潤マスクに関し、詳しくは、身体に害のある細菌やウイルスをフィルターによる受動的な侵入防止だけではなく、次亜塩素酸のような消毒液による毛細管現象を利用した消毒効果で能動的に無毒化することで、一層効果的な感染防止効果が得られるようにした毛細管現象を利用した消毒液持続浸潤マスクに関するものである。
【背景技術】
【０００２】
従来多用されているフィルター機能付きマスクは、フィルターにより細菌等の対象物を濾し取ることで身体に害のある細菌やウイルスの口腔、鼻内への侵入を防ぐ受動的な構造としたものが一般的である。
【０００３】
また、従来の毛細管現象を利用したマスクとしては、特許文献１に薬気発散マスクが提案されている。
【０００４】
この薬気発散マスクは、マスクに水分器をつけ水分を毛細管現象で移動させ、マスク自体にカイロ等を付けて水分を継続的に蒸発させる構成としている。
しかし、特許文献１の薬気発散マスクの場合、水分を継続的に蒸発させつつ口腔内に導く構成であり、身体に害のある細菌やウイルスの能動的な侵入防止を図るような構成を備えていない。
【先行技術文献】
【特許文献】
【０００５】
【特許文献１】特開２００４−２３０１３０号公報
【考案の概要】
【考案が解決しようとする課題】
【０００６】
本考案は、従来における上記事情に鑑み開発されたものであり、次亜塩素酸のような消毒液を用い、毛細管現象を利用し、細菌やウイルスに対する消毒効果で能動的、かつ、持続的に吸気や呼気を無毒化することで、一層効果的な感染防止効果が得られるようにした毛細管現象を利用した消毒液持続浸潤マスクを提供するものである。
【課題を解決するための手段】
【０００７】
本考案に係る毛細管現象を利用した消毒液持続浸潤マスクは、口腔、鼻領域を覆う状態で使用者の顔面に被着される布製のマスク本体と、前記マスク本体の両端辺に連結され使用者の耳に掛け止められる一対の耳掛け片と、前記使用者の後頭部外側に配置される消毒液を収容した液タンクと、前記液タンク、前記マスク本体に設けたフィルター間に連結され前記液タンク内の消毒液を、毛細管現象を利用して前記フィルターに送給し、前記マスク本体のフィルターを浸潤させる液送給チューブとを有する毛細管現象を利用した消毒液持続浸潤マスクであって、前記マスク本体は、使用者の呼吸に伴い、吸気に対して前記フィルターを介して液送給チューブ経て送給される消毒液を持続的に作用させて消毒して清浄化し、清浄化吸気を使用者の口腔、鼻孔内に吸引させるようにするとともに、使用者の呼気は後室内の下部位置に外気に臨むように設けられ、排出口に消毒液を浸潤させたフィルターを付加してこのフィルターで無害化する逆流防止弁を経てマスク本体外に排出させるように構成したことを最も主要な特徴とする。
【考案の効果】
【０００８】
請求項１、２記載の考案によれば、次亜塩素酸のような消毒液を用い、毛細管現象を利用し、細菌やウイルスに対する消毒効果で能動的、かつ、持続的に吸気や呼気を無毒化することで、一層効果的な感染防止効果が得られるようにした毛細管現象を利用した消毒液持続浸潤マスクを実現し提供することができる。
【０００９】
請求項３記載の考案によれば、請求項１又は２記載の考案において、マスク本体内に外部から吸引する吸気を渦巻き状に誘導して口腔、鼻孔に導くフィンが設けられていることにより、請求項１又は２記載の考案と同様な効果を奏するとともに、吸気を渦巻き状に回転する態様として次亜塩素酸と吸気とを撹拌し消毒効果を高めつつ口腔、鼻孔に導くことができる毛細管現象を利用した消毒液持続浸潤マスクを実現し提供することができる。
【００１０】
請求項４記載の考案によれば、前記請求項１乃至３のいずれか１項に記載の考案において、前記液送給チューブには、消毒液の流量を調節するクランプ式流量調節機構部が設けられているので、請求項１乃至３のいずれか１項に記載の考案の効果を奏するとともに、クランプ式の構成の基に、個々のフィルターの次亜塩素酸の浸潤量を調節したり、使用しないときには次亜塩素酸の消耗を防止したり、更に、外気の状態により次亜塩素酸の濃度をコントロールしたりすることができる毛細管現象を利用した消毒液持続浸潤マスクを実現し提供することができる。
【００１１】
請求項５記載の考案によれば、前記請求項１乃至３のいずれか１項に記載の考案において、前記液送給チューブには、消毒液の流量を調節するクランプ式流量調節機構部が設けられているので、請求項１乃至３のいずれか１項に記載の考案の効果を奏するとともに、止水弁式の構成の基に、個々のフィルターの次亜塩素酸の浸潤量を調節したり、使用しないときには次亜塩素酸の消耗を防止したり、更に、外気の状態により次亜塩素酸の濃度をコントロールしたりすることができる毛細管現象を利用した消毒液持続浸潤マスクを実現し提供することができる。
【図面の簡単な説明】
【００１２】
【図１】図１は本考案の実施例に係る毛細管現象を利用した消毒液持続浸潤マスクの全体構成を示す概略側面図である。
【図２】図２は本実施例に係る毛細管現象を利用した消毒液持続浸潤マスクにおけるフィルター、仕切り片の概略拡大断面図である。
【図３】図３は本実施例に係る毛細管現象を利用した消毒液持続浸潤マスクにおける使用者が被着した状態での仕切り片の前室側から見た態様を示す概略正面図である。
【図４】図４は本実施例に係る毛細管現象を利用した消毒液持続浸潤マスクにおける液タンク、液送給チューブを示す概略拡大側面図である。
【図５】図５は本実施例に係る毛細管現象を利用した消毒液持続浸潤マスクにおける液送給チューブに設けたクランプ式流量調節機構部を示す概略斜視図である。
【図６】図６は本実施例に係る毛細管現象を利用した消毒液持続浸潤マスクにおける液送給チューブに設けた止水弁式流量調節機構部を示す概略拡大側面図である。
【考案を実施するための形態】
【００１３】
本考案は、次亜塩素酸のような消毒液を用い、毛細管現象を利用し、細菌やウイルスに対する消毒効果で能動的、かつ、持続的に吸気や呼気を無毒化することで、一層効果的な感染防止効果が得られるようにした毛細管現象を利用した消毒液持続浸潤マスクを実現し提供するという目的を、口腔、鼻領域を覆う状態で使用者の顔面に被着される布製のマスク本体と、前記マスク本体の両端辺に連結され使用者の耳に掛け止められる一対の耳掛け片と、前記使用者の後頭部外側に配置される次亜塩素酸液からなる消毒液を収容した液タンクと、前記液タンク、前記マスク本体に設けたフィルター間に連結され前記液タンク内の消毒液を、毛細管現象を利用して前記フィルターに送給し、前記マスク本体のフィルターを浸潤させる液送給チューブとを有する毛細管現象を利用した消毒液持続浸潤マスクであって、前記マスク本体は、仕切り片を用いて使用者の正面外気側の前室と、使用者の口腔、鼻側の後室との二室に区画形成されるとともに、前記仕切り片には前室から前記後室に至る吸気用の吸入筒、及び、前記仕切り片の前室側壁面に設けた前記液送給チューブから送給される消毒液が供給される複数のフィルターを有し、使用者の呼吸に伴って、吸気に対しては前記前室内で前記液送給チューブ経て送給される消毒液を複数のフィルターを介して持続的に作用させて消毒して清浄化し、清浄化吸気を前記吸入筒を経て使用者の口腔、鼻孔内に吸引させるようにするとともに、使用者の呼気は前記後室内の下部位置に外気に臨むように設けられ、排出口に消毒液を浸潤させたフィルターを付加してこのフィルターで無害化する逆流防止弁を経てマスク本体外に排出させるように構成したことにより実現した。
【実施例】
【００１４】
以下、図面を参照して、本考案の実施例に係る毛細管現象を利用した消毒液持続浸潤マスクについて説明する。
【００１５】
本実施例に係る毛細管現象を利用した消毒液持続浸潤マスク１は、図１に示すように、使用者Ｍの口腔、鼻領域を覆う状態で使用者の顔面に被着される例えば布製のマスク本体２と、前記マスク本体２の左右両端辺に連結されて使用者Ｍの耳に掛け止められる一対の耳掛け片３と、前記使用者Ｍの後頭部外側に配置される例えば次亜塩素酸液（組成式：ＨＣｌＯ）からなる消毒液５１を収容した液タンク４と、前記液タンク４、前記マスク本体２内に設けた例えば４個のフィルター５間に前記一対の耳掛け片３に沿う形状で連結されて、前記液タンク４内の消毒液５１を毛細管現象を利用して前記各フィルター５に各々送給し、前記マスク本体２内のフィルター５を浸潤させる所要個数の液送給チューブ（本実施例では４個）６とを有している。
【００１６】
前記マスク本体２は、仕切り片１１を用いて使用者Ｍの正面外気側の前室２１と、使用者Ｍの口腔、鼻側の後室２２との二室に区画形成されている。
すなわち、前室２１は、仕切り片１１より前方に配置する正面外被材２３と、正面外被材２３から使用者Ｍの顔面に至る範囲に配置する筒状の側被材２４の内側途中位置に配置する仕切り片１１によって使用者Ｍの正面外気側に区画形成されている。
【００１７】
また、後室２２は、仕切り片１１によって側被材２４の内側で使用者Ｍの口腔、鼻側の領域に区画形成されている。
【００１８】
前記後室２２内の下部位置には、図１に示すように、排出端側が外気に臨むように設けられ、排出端に消毒液５１を浸潤させた前記フィルター５と同様な構成のフィルター５ａを付加してこのフィルター５ａで使用者Ｍの呼気を無害化してマスク本体２外に排出させる逆流防止弁３１を配置している。
【００１９】
図２、図３は、前記フィルター５、及び、このフィルター５の仕切り片１１に対する配置を示すものであり、このフィルター５は、前記仕切り片１１に添着され前記消毒液５１により浸潤するフィルター材１２と、このフィルター材１２の露出部分を覆う汚れ防止用のメッシュカバー材１３とを具備している。
【００２０】
前記仕切り片１１の中央部には後室２２に連なる吸入筒８を配置している。
【００２１】
また、前記仕切り片１１の前室２１側の端面には、中央部より外側に位置して使用者Ｍの吸気を渦巻き状として吸入筒８内に導く弧状のフィン２５を設けている。
【００２２】
前記フィルター５は、前記仕切り片１１の前室２１側の端面に中央に配置する吸入筒８の周りに９０度間隔配置に四箇所にわたって設けられ、各々前記４個の液送給チューブ６から消毒液が各々送給されて浸潤されるように構成している。
【００２３】
図４は、前記液タンク４、液送給チューブ６の拡大構成を示すものであり、前記液タンク４、液送給チューブ６は、例えば外周が褐色を呈するように遮光処理された合成樹脂材やチューブ材により形成されている。
【００２４】
また、液送給チューブ６の内部には、その内部から液タンク４内底部に至るように例えば毛細管現象を起こす密度の綿材からなる繊維７が配置され、これにより、使用者Ｍの姿勢の変化の如何にかかわらず、繊維７により消毒液５１を液タンク４より吸い上げ、前記マスク本体２内に設けたフィルター５に毛細管現象を利用して持続的に消毒液５１を安定送給することが可能となっている。
【００２５】
また、前記液タンク４、液送給チューブ６は、外周の遮光処理により、外光の透過を減弱させ、これにより、紫外線による消毒液５１の分解を防ぐように構成している。
【００２６】
図５、図６は、本実施例における前記液送給チューブ６内を送給される消毒液５１の流量節機構部４１を示すものであり、このうち、図５はクランプ式流量調節機構部４１Ａを示し、図６は止水弁式流量調節機構部４１Ｂを示している。
【００２７】
すなわち、図５に示すクランプ式流量調節機構部４１Ａは、端面（断面）コ字状のクランプ材４２内に液送給チューブ６の途中領域を挿通させるとともに、クランプ材４２側に回転操作により外周部が前記液送給チューブ６の外周部分を圧接可能な例えば楕円形状の流量調節環４３を回転可能に配置し、流量調節環４３の回転量の調節により液送給チューブ６内を送給される消毒液５１の流量を調節可能に構成したものである。
【００２８】
また、図６に示す止水弁式流量調節機構部４１Ｂは、前記液送給チューブ６の途中位置に流量調節ダイアル４４付の止水弁（ウォーターストップバルブ）４５を連結し、流量調節ダイアル４４の回転量の調節により液送給チューブ６内を送給される消毒液５１の流量を調節可能に構成したものである。
【００２９】
このようなクランプ式又は止水弁式の構成の基に、個々のフィルター５における次亜塩素酸のような消毒液５１の浸潤量を調節したり、使用しないときには消毒液５１の消耗を防止したり、更に、外気の状態により消毒液５１の濃度をコントロールしたりすることができる。
【００３０】
以上説明した本実施例の毛細管現象を利用した消毒液持続浸潤マスク１によれば、使用者Ｍの呼吸に伴い、吸気に対しては前記前室２１内で前記液送給チューブ６を経て送給される消毒液５１を、各フィルター５を介して持続的に作用させ、消毒して清浄化し、清浄化吸気を前記吸入筒８を経て使用者Ｍの口腔、鼻孔内に吸引させることができる。
【００３１】
また、使用者Ｍの呼気は前記後室２２内の下部位置に外気に臨むように設けられ、排出口に消毒液５１を浸潤させたフィルター５ａを付加してこのフィルターで無害化する逆流防止弁３１を経てマスク本体２外に排出させることができる。
【００３２】
次に、本実施例の毛細管現象を利用した消毒液持続浸潤マスク１について一部重複するが更に付言する。
【００３３】
本実施例の毛細管現象を利用した消毒液持続浸潤マスク１は、細菌やウイルスに対する殺菌効果が高く、使用者Ｍへの安全性が高い消毒液５１（次亜塩素酸）をフィルター５に浸潤させ、フィルター５を通る吸気を持続的に消毒するものである。
【００３４】
フィルター５への消毒液５１の浸潤は繊維７の毛細管現象を利用し、その物理的作用により、他のエネルギーを使用することなくフィルター５に送給し浸潤させる。
【００３５】
本実施例の毛細管現象を利用した消毒液持続浸潤マスク１は、マスク本体２を顔面に被着するゴム紐等の耳掛け片３に沿う形状で液送給チューブ６が接続されており、液送給チューブ６の片方はマスク本体２のフィルター５に、他方は液タンク４に接続されている。
【００３６】
消毒液５１を貯蔵する液タンク４は耳掛け片３に沿った液送給チューブ６を通じて使用者Ｍの後頭部など、身体のほかの場所に設置され、液送給チューブ６を通してマスク本体２のフィルター５に消毒液５１が届けられる。前記マスク本体２は、外気を取り込み消毒を行う前室２１と、前室２１で消毒され吸入筒８を経た吸気を取り込む後室２２とで構成される。マスク本体２の仕切り片１１にある吸入筒８に吸気を取り込む際にはフィルター５に浸潤した消毒液５１が吸気と混合し消毒される。吸気（空気）を吸い込むフィルター５は複数構成で、それらフィルター５の全面に消毒液５１が染み込む構造となっている。
【００３７】
各フィルター５には、液タンク４に接続された液送給チューブ６が接続され、各々繊維７の毛細管現象により各フィルター５に消毒液５１が送給される。
【００３８】
また、状況により個々のフィルター５の消毒液５１の浸潤量を個別的に又は一括して調節する構成とすることもできる。
【００３９】
これにより、使用しないときには消毒液５１の消耗を防ぎ、また、外気の状態により消毒液５１の濃度をコントロールすることができる。
【００４０】
流量調節は個々のフィルター５を個別に調節可能とすることもでき、更に一括で流量調節可能な機構も採用することもできる。
前記液送給チューブ６の内部にも毛細管現象を起こす密度の繊維７（例えば綿材）が通っており、使用者Ｍの姿勢の変化等にかかわらず、消毒液５１を液４タンクより吸い上げることが可能となっている。
【００４１】
これにより、全てのフィルター５に消毒液５１が浸潤し、フィルター５の位置が液タンク４より高い位置にあっても毛細管現象により消毒液５１が上昇し安定供給される。
【００４２】
このようなフィルター５を通る空気全体が消毒液５１に触れることで殺菌・殺ウイルスが可能となる。また、複数のフィルター５を経て多量の空気を流入させることができ、息苦しさを感じづらい構造とすることができる。
【００４３】
前記消毒液５１の消毒効果は、細菌やウイルスなどの有機物と消毒液５１が接触することで起こるため、外気と消毒液５１をより撹枠させることを目的として、マスク本体２の前室２１では吸気が渦状の回転運動をしながら移動をする構成とする。
【００４４】
この回転運動を起こすために、マスク本体２の前室２１の壁に沿って水平方向に外気が取り込まれるようになっている。
【００４５】
使用者Ｍの吸気により前室２１内へ外気が吸入される際には、仕切り片１１に対して水平方向に付けられた吸入筒８の角度により、仕切り片１１に沿って水平方向に空気が流入・流動し、マスク本体２内で渦状に回転運動をしながら後室２２へと繋がる吸入筒８に移動して行く。
【００４６】
また、このような渦状の回転を一層推進させるために、仕切り片１１に気流をコントロールする例えば弧状のフィン２５を設けることができる。
このマスク本体２内の渦状の回転により、外気と次亜塩素酸は、一層撹祥され、細菌やウイルスなどの有機物と消毒液５１が接する機会を増やし、消毒効果を向上させる。
【００４７】
次に、次亜塩素酸等の消毒液５１は、光に対して不安定なので、分解を防ぐ目的から液タンク４及び液送給チューブ６は遮光処理した構成となっている。
【００４８】
また、液タンク４内の消毒液５１の残量が分かるよう内部が見える窓を持つ構成とすることができる。
【００４９】
この窓も遮光処理を施す。また液タンク４は使用しながら残量確認や消毒液５１の補充ができるよう、液送給チューブ６が接続されたまま設置場所から外し、取り扱えるようなチューブの長さを持つ構成とすることもできる。
【００５０】
上述したように、本実施例の毛細管現象を利用した消毒液持続浸潤マスク１は、殺菌・殺ウイルス効果が高く、使用者Ｍに対しては非常に安全性が高い次亜塩素酸等の消毒液５１を用いて、呼吸する空気を持続的に消毒することで、感染症発生防止に大いに資するものである。
【００５１】
従来のマスクは、フィルターにより対象物を濾し取ることで体に害のある細菌やウイルスの侵入を防ぐ、受動的な構造となっているが、本実施例の毛細管現象を利用した消毒液持続浸潤マスク１によれば、使用者Ｍの身体に害のある細菌やウイルスを次亜塩素酸等の消毒液５１の消毒効果で能動的、持続的に無毒化することで、一層効果的な感染防止効果が得られる。
【産業上の利用可能性】
【００５２】
本考案は、消毒液として、次亜塩素酸の他、次亜塩素酸の塩類、アルコール消毒液等を用いる構成とし、感染症予防対策用マスクとして広範に利用可能である。
【符号の説明】
【００５３】
１    毛細管現象を利用した消毒液持続浸潤マスク
２    マスク本体
３    耳掛け片
４    液タンク
５    フィルター
５ａ  フィルター
６    液送給チューブ
７    繊維
８    吸入筒
１１    仕切り片
１２    フィルター材
１３    メッシュカバー材
２１    前室
２２    後室
２３    正面外被材
２４    側被材
２５    フィン
３１    逆流防止弁
４１    流量節機構部
４１Ａ  クランプ式流量調節機構部
４１Ｂ  止水弁式流量調節機構部
４２    クランプ材
４３    流量調節環
４４    流量調節ダイアル
４５    止水弁
５１    消毒液
Ｍ    使用者
【図１】
0003228418.tif 000003
【図２】
0003228418.tif 000004
【図３】
0003228418.tif 000005
【図４】
0003228418.tif 000006
【図５】
0003228418.tif 000007
【図６】
0003228418.tif 000008